(57)【特許請求の範囲】
【請求項１】
発信元の電話番号が登録された電話番号であるか否か判定する判定手段を備える電話装置であって、
前記登録された電話番号を有する他の電話装置からの着信に応じて、前記電話装置を呼出中であることを示す呼出音を、前記他の電話装置に対して出力する呼出音出力手段と、
前記呼出音の出力後に、前記他の電話装置に対して、留守番電話機能を起動し、前記他の電話装置から送信されたメッセージを録音する留守番電話起動手段と、
前記録音された前記メッセージを保存するか否かを決定する保存決定手段と、をさらに備え、
前記呼出音出力手段は、前記電話装置に対して呼出音を出力しない場合においても前記他の電話装置に対して前記呼出音を出力し、
前記保存決定手段による決定が、前記判定手段による判定結果及び予め前記電話装置のユーザにより登録された電話番号ごとに設定された設定データに基づいて行われることを特徴とする電話装置。
【請求項２】
前記電話装置は、前記他の電話装置からの着信があったことを前記電話装置のユーザに通知するか否かを決定する着信通知決定手段をさらに備え、
前記着信通知決定手段による決定が、前記判定手段による判定結果及び予め前記電話装置のユーザにより登録された電話番号ごとに設定された設定データに基づいて行われることを特徴とする請求項１記載の電話装置。
【請求項３】
前記電話装置は、前記他の電話装置から着信中であることを前記電話装置のユーザに通知するか否かを決定する着信中通知決定手段をさらに備え、
前記着信中通知決定手段による決定が、前記判定手段による判定結果及び予め前記電話装置のユーザにより登録された電話番号ごとに設定された設定データに基づいて行われることを特徴とする請求項１又は２に記載の電話装置。
【請求項４】
通信回線を介して電話装置と接続された状態で当該電話装置とデータを送受信し得る機能と、
前記電話装置に対する発信元の電話番号が登録された電話番号であるか否か判定する判定機能と、を備えるサーバであって、
前記登録された電話番号を有する他の電話装置からの着信に応じて、前記電話装置を呼出中であることを示す呼出音を、前記他の電話装置に対して出力する呼出音出力機能と、
前記呼出音の出力後に、前記他の電話装置に対して、留守番電話機能を起動し、前記他の電話装置から送信されたメッセージを録音する留守番電話起動機能と、
前記録音された前記メッセージを保存するか否かを決定する保存決定機能と、をさらに備え、
前記呼出音出力機能は、前記電話装置に対して呼出音を出力しない場合においても前記他の電話装置に対して前記呼出音を出力し、
前記保存決定機能による決定が、前記判定機能による判定結果及び予め前記電話装置のユーザにより登録された電話番号ごとに設定された設定データに基づいて行われることを特徴とするサーバ。
【請求項５】
前記サーバは、前記他の電話装置からの着信があったことを前記電話装置のユーザに通知するか否かを決定する着信通知決定機能をさらに備え、
前記着信通知決定機能による決定が、前記判定機能による判定結果及び予め前記電話装置のユーザにより登録された電話番号ごとに設定された設定データに基づいて行われることを特徴とするサーバ。
【請求項６】
前記サーバは、前記他の電話装置から着信中であることを前記電話装置のユーザに通知するか否かを決定する着信中通知決定機能をさらに備え、
前記着信中通知決定機能による決定が、前記判定手段による判定結果及び予め前記電話装置のユーザにより登録された電話番号ごとに設定された設定データに基づいて行われることを特徴とする請求項４又は５に記載のサーバ。
【請求項７】
発信元の電話番号が登録された電話番号であるか否か判定するステップを含む電話装置の応答制御方法において、
前記登録された電話番号を有する他の電話装置からの着信に応じて、前記電話装置を呼出中であることを示す呼出音を、前記他の電話装置に対して出力するステップと、
前記呼出音の出力後に、前記他の電話装置に対して、留守番電話機能を起動し、前記他の電話装置から送信されたメッセージを録音するステップと、
前記録音された前記メッセージを保存するか否かを決定するステップと、をさらに含み、
前記他の電話装置に対して出力するステップは、前記電話装置に対して前記呼出音を出力しない場合においても前記他の電話装置に対して出力し、
前記録音されたメッセージを保存するか否かを決定するステップにおける決定が、前記判定するステップによる判定結果及び予め前記電話装置のユーザにより登録された電話番号ごとに設定された設定データに基づいて行われることを特徴とする電話装置の応答制御方法。
【請求項８】
前記電話装置の応答制御方法は、前記他の電話装置からの着信があったことを前記電話装置のユーザに通知するか否かを決定するステップをさらに含み、
前記着信があったことを前記電話装置のユーザに通知するか否かを決定するステップにおける決定が、前記判定するステップによる判定結果及び予め前記電話装置のユーザにより登録された電話番号ごとに設定された設定データに基づいて行われることを特徴とする請求項７に記載の電話装置の応答制御方法。
【請求項９】
前記電話装置の応答制御方法は、前記他の電話装置から着信中であることを前記電話装置のユーザに通知するか否かを決定するステップをさらに含み、
前記着信中であることを前記電話装置のユーザに通知するか否かを決定するステップにおける決定が、前記判定手段による判定結果及び予め前記電話装置のユーザにより登録された電話番号ごとに設定された設定データに基づいて行われることを特徴とする請求項７又は８に記載の電話装置の応答制御方法。
【請求項１０】
発信元の電話番号が登録された電話番号であるか否かの判定を行わせしめる制御プログラムを格納しているコンピュータ読み取り可能な記憶媒体において、
前記登録された電話番号を有する他の電話装置からの着信に応じて、前記電話装置を呼出中であることを示す呼出音を、前記他の電話装置に対して出力するステップと、
前記呼出音の出力後に、前記他の電話装置に対して、留守番電話機能を起動し、前記他の電話装置から送信されたメッセージを録音するステップと、
前記録音された前記メッセージを保存するか否かを決定するステップと、をさらに含む前記電話装置の応答方法を実現可能なプログラムが記憶された記憶媒体であって、
前記他の電話装置に対して出力するステップは、前記電話装置に対して呼出音を出力しない場合においても前記他の電話装置に対して前記呼出音を出力し、
前記録音されたメッセージを保存するか否かを決定するステップにおける決定が、前記判定するステップによる判定結果及び予め前記電話装置のユーザにより登録された電話番号ごとに設定された設定データに基づいて行われることを特徴とする記憶媒体。
【請求項１１】
前記記憶媒体は、前記他の電話装置からの着信があったことを前記電話装置のユーザに通知するか否かを決定するステップをさらに含み、
前記着信があったことを前記電話装置のユーザに通知するか否かを決定するステップにおける決定が、前記判定するステップによる判定結果及び予め前記電話装置のユーザにより登録された電話番号ごとに設定された設定データに基づいて行われることを特徴とする請求項１０に記載の記憶媒体。
【請求項１２】
前記記憶媒体は、前記他の電話装置から着信中であることを前記電話装置のユーザに通知するか否かを決定するステップをさらに含み、
前記着信中であることを前記電話装置のユーザに通知するか否かを決定するステップにおける決定が、前記判定手段による判定結果及び予め前記電話装置のユーザにより登録された電話番号ごとに設定された設定データに基づいて行われることを特徴とする請求項１０又は請求項１１に記載の記憶媒体。
【請求項１３】
発信元の電話番号が登録された電話番号であるか否かの判定を行う応答制御装置において、
前記登録された電話番号を有する他の電話装置からの着信に応じて、前記電話装置を呼出中であることを示す呼出音を、前記他の電話装置に対して出力するステップと、
前記呼出音の出力後に、前記他の電話装置に対して、留守番電話機能を起動し、前記他の電話装置から送信されたメッセージを録音するステップと、
前記録音された前記メッセージを保存するか否かを決定するステップと、をさらに含み、
前記他の電話装置に対して出力するステップは、前記電話装置に対して呼出音を出力しない場合においても前記他の電話装置に対して前記呼出音を出力し、
前記録音されたメッセージを保存するか否かを決定するステップにおける決定が、前記判定するステップによる判定結果及び予め前記電話装置のユーザにより登録された電話番号ごとに設定された設定データに基づいて行われることを特徴とする応答制御装置。
【請求項１４】
前記応答制御装置は、前記他の電話装置からの着信があったことを前記電話装置のユーザに通知するか否かを決定するステップをさらに含み、
前記着信があったことを前記電話装置のユーザに通知するか否かを決定するステップにおける決定が、前記判定するステップによる判定結果及び予め前記電話装置のユーザにより登録された電話番号ごとに設定された設定データに基づいて行われることを特徴とする請求項１３に記載の応答制御装置。
【請求項１５】
前記応答制御装置は、前記他の電話装置から着信中であることを前記電話装置のユーザに通知するか否かを決定するステップをさらに含み、
前記着信中であることを前記電話装置のユーザに通知するか否かを決定するステップにおける決定が、前記判定手段による判定結果及び予め前記電話装置のユーザにより登録された電話番号ごとに設定された設定データに基づいて行われることを特徴とする請求項１３又は１４に記載の応答制御装置。
【発明の詳細な説明】
【０００１】
【発明の属する技術分野】
本発明は、電話装置、サーバ、電話装置の応答制御方法、記憶媒体及び応答制御装置に関する。
【０００２】
【従来の技術】
昨今の通信手段の発達には目を見張るものがある。例えば家電販売を行っている店の店頭に行くと、一般家庭で使用するための電話装置だけでなく、携帯電話が多数展示されているのを目にすることができる。このような光景は、１つの通信手段として家庭用の電話装置や携帯電話が一般へ普及し浸透してきたことを象徴するものである。
【０００３】
店頭に並んでいる電話装置を見てみると、一昔前のいわゆる黒電話のように通話機能のみしか備えていない電話は殆ど姿を消し、留守番電話機能やファクシミリ機能のように、豊富な機能が搭載されたものを多数目にすることができる。また、携帯電話装置を手に取ってみると、電子メールやインターネットの端末として使用することもできるものが殆どである。このように、通信手段の発達に対する一般のニーズは、豊富な機能を備えた電話装置の開発を促進し、それは、一見便利な世の中を作り出しているようにも思える。
【０００４】
しかし、このような通信手段の発達に伴って、今度は新たな問題が起こっている。いわゆる迷惑電話の問題である。一言で「迷惑電話」といっても、販売やセールスを目的とした電話や、イタズラや嫌がらせを目的とした電話などのように、電話をかけてきた発信者をよく知らない場合だけでなく、発信者をよく知っている場合でも、普段からあまり話をしたくない相手からかかってくる電話、大事な用事の最中に友人からかかってくる電話など、様々の種類のものがある。
【０００５】
このような迷惑電話に対処する方法としては、電話装置のユーザが予め着信に応答したくない電話番号を登録しておき、その電話番号からの着信に応答しない、いわゆる着信拒否という方法がよく知られている。
【０００６】
この着信拒否と呼ばれる方法では、着信拒否の設定を行った相手からの着信があったとき、ユーザには着信中であることを知らせる呼出音は鳴らないようになっている。これにより、電話に応答するまでしつこく発信を続ける発信者に対して、電話装置のユーザが不快な思いをしないですむようになっている。
【０００７】
逆に、相手に着信拒否の設定がなされているときには、電話をかけるとその相手の電話から話し中であることを知らせる「プーッ、プーッ、プーッ・・・」なる音が聞こえるようになっており、発信者に相手が話し中であると思わせて、再び電話をかけるのをあきらめさせるようになっている。
【０００８】
【発明が解決しようとする課題】
しかしながら、上記のような着信拒否の場合、着信拒否されている者（ブラックリスト者）は、相手が毎回話し中であることに対して段々と不審に思うようになってくる。特に着信拒否のシステムが周知になってしまっている現在においては、数回電話をかければ自分が着信拒否されていることは容易に感づいてしまうものである。
【０００９】
このように、自分が相手から着信を拒否されていることを知ってしまうと、かけた本人にとってはショックであると同時に不快感、ひいては怒りまで感じることとなり、ときにはその怒りの矛先が、着信を拒否したユーザに向いてしまうこともあるのが現状である。
【００１０】
本発明は、上述したごとき課題に鑑みてなされたものであり、その目的は電話装置のユーザが着信拒否されている者（ブラックリスト者）からの着信に煩わされることなく、かつ当該ブラックリスト者が不快を感じないような着信拒否機能を備える電話装置を提供するものである。
【００１１】
【課題を解決するための手段】
以上のような目的を達成するために、本発明においては、発信元の電話番号を判定する判定手段を備える電話装置において、電話装置が着信中であることをユーザに知らせるか否か、電話装置に着信があったことをユーザに知らせるか否か、ある発信者が留守番電話装置に録音したメッセージを保存するか否かを、前記判定手段による判定結果及び予め前記電話装置のユーザにより設定された設定データの基づいて行うようにし、着信者側には呼出音が送出されず、発信者側には呼出音とそれに続く応答メッセージが送出されることを特徴とする。
【００１２】
より具体的には、本発明は、以下のようなものを提供する。
【００１３】
（１）  発信元の電話番号が登録された電話番号であるか否か判定する判定手段を備える電話装置であって、前記登録された電話番号を有する他の電話装置からの着信に応じて、前記電話装置を呼出中であることを示す呼出音を、前記他の電話装置に対して出力する呼出音出力手段と、前記呼出音の出力後に、前記他の電話装置に対して、留守番電話機能を起動し、前記他の電話装置から送信されたメッセージを録音する留守番電話起動手段と、前記録音された前記メッセージを保存するか否かを決定する保存決定手段と、をさらに備え、前記呼出音出力手段は、前記電話装置に対して呼出音を出力しない場合においても前記他の電話装置に対して前記呼出音を出力し、前記保存決定手段による決定が、前記判定手段による判定結果及び予め前記電話装置のユーザにより登録された電話番号ごとに設定された設定データに基づいて行われることを特徴とする電話装置。
【００１４】
（２）  前記電話装置は、前記他の電話装置からの着信があったことを前記電話装置のユーザに通知するか否かを決定する着信通知決定手段をさらに備え、前記着信通知決定手段による決定が、前記判定手段による判定結果及び予め前記電話装置のユーザにより登録された電話番号ごとに設定された設定データに基づいて行われることを特徴とする（１）記載の電話装置。
（３）  前記電話装置は、前記他の電話装置から着信中であることを前記電話装置のユーザに通知するか否かを決定する着信中通知決定手段をさらに備え、前記着信中通知決定手段による決定が、前記判定手段による判定結果及び予め前記電話装置のユーザにより登録された電話番号ごとに設定された設定データに基づいて行われることを特徴とする（１）又は（２）に記載の電話装置。
【００１５】
（４）  通信回線を介して電話装置と接続された状態で当該電話装置とデータを送受信し得る機能と、前記電話装置に対する発信元の電話番号が登録された電話番号であるか否か判定する判定機能と、を備えるサーバであって、前記登録された電話番号を有する他の電話装置からの着信に応じて、前記電話装置を呼出中であることを示す呼出音を、前記他の電話装置に対して出力する呼出音出力機能と、前記呼出音の出力後に、前記他の電話装置に対して、留守番電話機能を起動し、前記他の電話装置から送信されたメッセージを録音する留守番電話起動機能と、前記録音された前記メッセージを保存するか否かを決定する保存決定機能と、をさらに備え、前記呼出音出力機能は、前記電話装置に対して呼出音を出力しない場合においても前記他の電話装置に対して前記呼出音を出力し、前記保存決定機能による決定が、前記判定機能による判定結果及び予め前記電話装置のユーザにより登録された電話番号ごとに設定された設定データに基づいて行われることを特徴とするサーバ。
【００１６】
（５）  前記サーバは、前記他の電話装置からの着信があったことを前記電話装置のユーザに通知するか否かを決定する着信通知決定機能をさらに備え、前記着信通知決定機能による決定が、前記判定機能による判定結果及び予め前記電話装置のユーザにより登録された電話番号ごとに設定された設定データに基づいて行われることを特徴とする（４）記載のサーバ。
（６）  前記サーバは、前記他の電話装置から着信中であることを前記電話装置のユーザに通知するか否かを決定する着信中通知決定機能をさらに備え、前記着信中通知決定機能による決定が、前記判定手段による判定結果及び予め前記電話装置のユーザにより登録された電話番号ごとに設定された設定データに基づいて行われることを特徴とする（４）又は（５）に記載のサーバ。
【００１７】
（７）  発信元の電話番号が登録された電話番号であるか否か判定するステップを含む電話装置の応答制御方法において、前記登録された電話番号を有する他の電話装置からの着信に応じて、前記電話装置を呼出中であることを示す呼出音を、前記他の電話装置に対して出力するステップと、前記呼出音の出力後に、前記他の電話装置に対して、留守番電話機能を起動し、前記他の電話装置から送信されたメッセージを録音するステップと、前記録音された前記メッセージを保存するか否かを決定するステップと、をさらに含み、前記他の電話装置に対して出力するステップは、前記電話装置に対して前記呼出音を出力しない場合においても前記他の電話装置に対して出力し、前記録音されたメッセージを保存するか否かを決定するステップにおける決定が、前記判定するステップによる判定結果及び予め前記電話装置のユーザにより登録された電話番号ごとに設定された設定データに基づいて行われることを特徴とする電話装置の応答制御方法。
【００１８】
（８）  前記電話装置の応答制御方法は、前記他の電話装置からの着信があったことを前記電話装置のユーザに通知するか否かを決定するステップをさらに含み、前記着信があったことを前記電話装置のユーザに通知するか否かを決定するステップにおける決定が、前記判定するステップによる判定結果及び予め前記電話装置のユーザにより登録された電話番号ごとに設定された設定データに基づいて行われることを特徴とする（７）に記載の電話装置の応答制御方法。
（９）  前記電話装置の応答制御方法は、前記他の電話装置から着信中であることを前記電話装置のユーザに通知するか否かを決定するステップをさらに含み、前記着信中であることを前記電話装置のユーザに通知するか否かを決定するステップにおける決定が、前記判定手段による判定結果及び予め前記電話装置のユーザにより登録された電話番号ごとに設定された設定データに基づいて行われることを特徴とする（７）又は（８）に記載の電話装置の応答制御方法。
【００１９】
（１０）  発信元の電話番号が登録された電話番号であるか否かの判定を行わせしめる制御プログラムを格納しているコンピュータ読み取り可能な記憶媒体において、前記登録された電話番号を有する他の電話装置からの着信に応じて、前記電話装置を呼出中であることを示す呼出音を、前記他の電話装置に対して出力するステップと、前記呼出音の出力後に、前記他の電話装置に対して、留守番電話機能を起動し、前記他の電話装置から送信されたメッセージを録音するステップと、前記録音された前記メッセージを保存するか否かを決定するステップと、をさらに含む前記電話装置の応答方法を実現可能なプログラムが記憶された記憶媒体であって、前記他の電話装置に対して出力するステップは、前記電話装置に対して呼出音を出力しない場合においても前記他の電話装置に対して前記呼出音を出力し、前記録音されたメッセージを保存するか否かを決定するステップにおける決定が、前記判定するステップによる判定結果及び予め前記電話装置のユーザにより登録された電話番号ごとに設定された設定データに基づいて行われることを特徴とする記憶媒体。
【００２０】
（１１）  前記記憶媒体は、前記他の電話装置からの着信があったことを前記電話装置のユーザに通知するか否かを決定するステップをさらに含み、前記着信があったことを前記電話装置のユーザに通知するか否かを決定するステップにおける決定が、前記判定するステップによる判定結果及び予め前記電話装置のユーザにより登録された電話番号ごとに設定された設定データに基づいて行われることを特徴とする（１０）に記載の記憶媒体。
（１２）  前記記憶媒体は、前記他の電話装置から着信中であることを前記電話装置のユーザに通知するか否かを決定するステップをさらに含み、前記着信中であることを前記電話装置のユーザに通知するか否かを決定するステップにおける決定が、前記判定手段による判定結果及び予め前記電話装置のユーザにより登録された電話番号ごとに設定された設定データに基づいて行われることを特徴とする（１０）又は（１１）に記載の記憶媒体。
【００２１】
（１３）  発信元の電話番号が登録された電話番号であるか否かの判定を行う応答制御装置において、前記登録された電話番号を有する他の電話装置からの着信に応じて、前記電話装置を呼出中であることを示す呼出音を、前記他の電話装置に対して出力するステップと、前記呼出音の出力後に、前記他の電話装置に対して、留守番電話機能を起動し、前記他の電話装置から送信されたメッセージを録音するステップと、前記録音された前記メッセージを保存するか否かを決定するステップと、をさらに含み、前記他の電話装置に対して出力するステップは、前記電話装置に対して呼出音を出力しない場合においても前記他の電話装置に対して前記呼出音を出力し、前記録音されたメッセージを保存するか否かを決定するステップにおける決定が、前記判定するステップによる判定結果及び予め前記電話装置のユーザにより登録された電話番号ごとに設定された設定データに基づいて行われることを特徴とする応答制御装置。
【００２２】
（１４）  前記応答制御装置は、前記他の電話装置からの着信があったことを前記電話装置のユーザに通知するか否かを決定するステップをさらに含み、前記着信があったことを前記電話装置のユーザに通知するか否かを決定するステップにおける決定が、前記判定するステップによる判定結果及び予め前記電話装置のユーザにより登録された電話番号ごとに設定された設定データに基づいて行われることを特徴とする（１３）に記載の応答制御装置。
（１５）  前記応答制御装置は、前記他の電話装置から着信中であることを前記電話装置のユーザに通知するか否かを決定するステップをさらに含み、前記着信中であることを前記電話装置のユーザに通知するか否かを決定するステップにおける決定が、前記判定手段による判定結果及び予め前記電話装置のユーザにより登録された電話番号ごとに設定された設定データに基づいて行われることを特徴とする（１３）又は（１４）に記載の応答制御装置。
【００２３】
（１’）発信元の電話番号を判定する判定手段を備える電話装置において、ある発信者がユーザの電話装置を呼出中であることを示す呼出音を当該ある発信者に対して出力する呼出音出力手段と、当該ある発信者からの着信に対して留守番電話機能を当該ある発信者に対して起動する留守番電話起動手段と、前記留守番電話機能に対して前記ある発信者が録音したメッセージを保存するか否かを決定する保存決定手段と、を有し、前記保存決定手段による決定が、前記判定手段による判定結果及び予め前記電話装置のユーザにより設定された設定データに基づいて行われることを特徴とする電話装置。
（２’）前記電話装置には、前記ある発信者からの着信があったことを前記ユーザに通知するか否かを決定する着信通知決定手段が備えられており、前記着信通知決定手段による決定が、前記判定手段による判定結果及び予め前記電話装置のユーザにより設定された設定データに基づいて行われていることを特徴とする（１’）に記載の電話装置。
（３’）前記電話装置には、前記ある発信者から着信中であることを知らせるか否かを決定する着信中通知決定手段が備えられており、前記着信中通知決定手段による決定が、前記判定手段による判定結果及び予め前記電話装置のユーザにより設定された設定データに基づいて行われていることを特徴とする（１’）又は（２’）に記載の電話装置。
（１’）から（３’）の発明によれば、電話装置の着信に対して、電話装置が発信元を判断し、その発信者に応じて個別にかつ自動的に対応を切り替えることが可能となる。すなわち、その着信に対してユーザが直接応答するか否か、直接応答しなかった場合に着信があったことを知らせるか否か、発信者が録音したメッセージを保存するのか否か、がユーザの好みで自由に設定でき、その設定に基づいて一連の動作を電話装置が自動的に行ってくれることとなる。これにより、電話装置のユーザが、直接応答したくない相手からの電話に対し、応答を拒否できる可能性が生じるばかりでなく、その相手に対し、不快感を与えずに電話をかけることをあきらめさせることができる可能性が生じることとなる。
【００２４】
（４’）通信回線を介して電話装置と接続された状態で当該電話装置とデータを送受信し得る機能と、前記電話装置に対する発信元の電話番号を判定する判定機能と、を備えるサーバにおいて、ある発信者がユーザの電話装置を呼出中であることを示す呼出音を当該ある発信者に対して出力する呼出音出力機能と、当該ある発信者からの着信に対して留守番電話機能を当該ある発信者に対して起動する留守番電話起動機能と、前記留守番電話機能に対して前記ある発信者が録音したメッセージを保存するか否かを決定する保存決定機能と、を有し、前記保存決定機能による決定が、前記判定機能による判定結果及び予め前記電話装置のユーザにより設定された設定データに基づいて行われることを特徴とするサーバ。
（５’）通信回線を介して電話装置と接続された状態で当該電話装置とデータを送受信し得る機能と、前記電話装置に対する発信元の電話番号を判定する判定機能と、を備えるサーバにおいて、ある発信者がユーザの電話装置を呼出中であることを示す呼出音を当該ある発信者に対して出力する呼出音出力機能と、当該ある発信者からの着信に対して留守番電話機能を当該ある発信者に対して起動する留守番電話起動機能と、前記留守番電話機能に対して前記ある発信者が録音したメッセージを保存させるか否かを決定する保存決定機能と、を有し、前記保存決定機能による決定が、前記判定機能による判定結果及び予め前記電話装置のユーザにより設定された設定データに基づいて行われることを特徴とするサーバ。
（６’）前記サーバには、前記ある発信者からの着信があったことを前記ユーザに通知するか否かを決定する着信通知決定機能が備えられており、前記着信通知決定機能による決定が、前記判定機能による判定結果及び予め前記電話装置のユーザにより設定された設定データに基づいて行われていることを特徴とする（４’）又は（５’）に記載のサーバ。
【００２５】
（７’）発信元の電話番号を判定する判定手段を備える電話装置の応答制御方法において、ある発信者がユーザの電話装置を呼出中であることを示す呼出音を当該ある発信者に対して出力するステップと、当該ある発信者からの着信に対して留守番電話機能を当該ある発信者に対して起動するステップと、前記留守番電話機能に対して前記ある発信者が録音したメッセージを保存するか否かを決定するステップと、を有し、前記発信者が録音したメッセージを保存するか否かを決定するステップにおける決定が、前記判定手段による判定結果及び予め前記電話装置のユーザにより設定された設定データに基づいて行われることを特徴とする電話装置の応答制御方法。
（８’）前記電話装置の応答制御方法には、前記ある発信者からの着信があったことを前記ユーザに通知するか否かを決定するステップが備えられており、前記着信があったことを前記ユーザに通知するか否かを決定するステップにおける決定が、前記判定機能による判定結果及び予め前記電話装置のユーザにより設定された設定データに基づいて行われていることを特徴とする（７’）に記載の電話装置の応答制御方法。
【００２６】
（９’）発信元の電話番号を判定する判定手段を備える電話装置の応答制御方法において、着信者側に送出しない呼出音を発信者側には送出することにより当該電話装置を使用するユーザの使用感を向上させるための電話装置の応答制御方法。
（１０’）前記電話装置の応答制御方法は、発信者がメッセージを録音する前に応答メッセージが送出されることを特徴とする（９’）に記載の電話装置の応答制御方法。
【００２７】
（１１’）発信元の電話番号の判定を行わせしめる制御プログラムを格納しているコンピュータ読み取り可能な記憶媒体において、ある発信者から着信中であることをユーザに知らせない場合に、前記ユーザの電話装置を呼出中であることを示す呼出音を当該ある発信者に対して出力するステップと、当該ある発信者からの着信に対して留守番電話機能を当該ある発信者に対して起動するステップと、前記留守番電話機能に対して前記ある発信者が録音したメッセージを保存するか否かを決定するステップと、を含む電話装置の応答方法を実現可能なプログラムが記憶されたことを特徴とする記憶媒体。
（１２’）前記記憶媒体には、ユーザに着信中であることを知らせないこととした場合に当該ある発信者からの着信があったことを前記ユーザに通知するか否かを決定するステップが含まれる電話装置の応答方法を実現可能なプログラムが記憶されたことを特徴とする（１１’）に記載の記憶媒体。
【００２８】
（１３’）発信者が着信者に対して電話をかけたときに、着信者側には呼出音が鳴らない状態となる一方で、発信者側には呼出音が聞こえる状態とされることを特徴とする応答制御装置。
（１４’）発信者側には前記呼出音に続く応答メッセージが送出されることを特徴とする（１３’）に記載の応答制御装置。
（１５’）呼出音が聞こえる状態とされることが切替自由であることを特徴とする（１３’）又は（１４’）に記載の応答制御装置。
【００２９】
［用語の定義等］
「電話装置」とは、携帯が可能な、いわゆる携帯電話やＰＨＳ（Personal Handy-phone System）をさすのみでなく、携帯が不可能な留守番電話装置も含む概念である。
【００３０】
「応答制御装置」とは、電話装置のみならず、電話装置に対して信号を送受信するいわゆる基地局、交換局やサーバ、通信端末装置、携帯電話等に付属的に取り付ける端末装置等も含む概念である。
【００３１】
「予め設定された設定データ」とは、電話装置のユーザにより当該電話装置の操作ボタンを用いて作成されサーバに送信された設定データだけをさす概念ではなく、例えば、入力装置をサーバに接続してユーザ又はユーザの指示を受けた者によりその入力装置を用いて作成された設定データも含む概念である。
【００３２】
【発明の実施の形態】
以下に、本発明の実施例について図面に基づいて説明する。
【００３３】
《第一の実施形態》
まず、第一の実施形態として、応答制御装置である携帯電話装置を用いた本発明の実施形態について説明する。
【００３４】
［携帯電話装置と他の電話装置との関係］
図１は本発明に係る携帯電話装置１０と他の電話装置との関係を表すブロック図である。
【００３５】
この図１に示すブロック図において、携帯電話装置１０は、基地局１を通じて他の携帯電話装置２と通話することができるようになっている。家庭用の電話装置３と通話するときには、通信回線網４及び携帯電話回線網５を介して基地局１に接続することにより、携帯電話装置１０との通話が可能となっている。基地局１にはサーバ２０が設けられており、サーバ２０の制御によりこれらの通話が制御されるようになっている。
【００３６】
なお、基地局１は発信者の電話番号を判断し、その電話番号のデータを携帯電話装置１０に送信する機能を有するものである。
【００３７】
［携帯電話装置の構成］
図２は本発明に係る携帯電話装置１０の全体構成を示すブロック図である。
【００３８】
携帯電話装置１０は、無線部１１と、操作部１２と、タイマ部１３と、ＲＯＭ部１４と、ＲＡＭ部１５と、制御部１６及び表示部１７とで構成される。
【００３９】
無線部１１は、通話に際し電波をやりとりする、いわゆる基地局（図１参照）との間における電波の送受信、及び発着信信号の変調及び復調処理を実行し、操作部１２は、通常の通話におけるダイヤルの入力操作、友人や知り合い等の電話番号の登録をするため入力操作、登録した電話番号に対し着信通知の要否やメッセージ確認の要否等の設定をするための操作等を行う。
【００４０】
タイマ部１３は、時計のカウントを行い一定の時間間隔で現在の時刻を与える計時信号（図示せず）を発生する。この計時信号は、予め設定された時間間隔で発生される。
【００４１】
ＲＯＭ部１４は、留守番電話機能の応答メッセージを構成するメッセージデータ、着信時に発信元の電話番号を判定するプログラム、後述する表示部１７に携帯電話装置１０のユーザの操作状態等を表示するプログラム、着信が有ったことを通知するプログラム、録音された発信者からのメッセージを消去するプログラム、その他のデータ及び携帯電話の各種の機能を実行する為のプログラムを格納しているものである。
【００４２】
ＲＡＭ部１５は、留守番電話機能における発信者からのメッセージや、ユーザが操作部１２から予め設定したデータである設定テーブルを格納する。この設定テーブルは、登録された電話番号と、登録された電話番号からの着信に対し着信があったことをユーザに通知する必要があるか否かを示すデータと、その発信者からのメッセージをユーザが確認する必要があるか否かを示すデータとから成るものである。
【００４３】
制御部１６は、携帯電話機全体の制御を行うためのものである。留守番電話機能において基本となる処理としては、無線部１１における着信に際して、制御部１６からの指令を受けて発信されるＲＯＭ部１４からの着信信号に応答して、設定テーブルを参照し、ユーザに対し呼出音を鳴らして着信中であることを通知するか否か、着信が終了した後にユーザに着信があったことの通知をするか、又は留守番電話機能で録音した発信者からのメッセージを保存しておくか消去するかの判断を行う。
【００４４】
又、制御部１６は、留守番電話機能を起動すると判断した場合に、無線部１１を介して発信者からの着信に応答し、発信者に対する応答メッセージを、ＲＡＭ部１５から読み出して出力する。更に、発信者からのメッセージをユーザが確認するような設定がなされている場合には、ＲＡＭ部１５にこのメッセージを保存する。
【００４５】
表示部１７は、携帯電話装置１０のユーザが、携帯電話装置１０を操作するときに、その操作状態等を表示するためのものである。ユーザが携帯電話装置１０を操作していない状態のときには、表示部１７には、例えばユーザが設定した待ち受け画面や、現在時刻などが表示されている。
【００４６】
［携帯電話装置における動作処理］
次に、本実施形態における携帯電話装置の動作処理について、詳細に説明する。
【００４７】
〈設定テーブルの作成〉
始めに、留守番電話機能の実行の為に、ユーザにより予め作成されるべき設定データである設定テーブルについて説明する。
【００４８】
図３に、本実施形態に係る携帯電話装置の設定テーブルを作成するときの流れを説明するためのフローチャートを示す。
【００４９】
まず、各種の設定を行うために、ユーザ自身が予め登録されている電話番号（以下、登録電話番号と称する）の中から１つを選んで携帯電話装置１０の表示部１７に表示する（ステップＳ１０１）。登録電話番号は、制御部１６の指示を受けたＲＯＭ部１４のプログラムが、ＲＡＭ部１５に格納されたデータから呼び出し、その結果、表示部１７に表示することとなる。
【００５０】
登録電話番号を表示する処理が終了すると、表示した電話番号に対して、ユーザが、各種の設定を行う処理を開始する（ステップＳ１０２）。各登録番号に対して行われる設定は、具体的には、その電話番号から着信があったときに、着信中であることを示すための呼出音をユーザに対して鳴らすか否か、呼出音を鳴らさなかった場合に着信終了後に着信があったことを通知するか否か、留守番電話に録音された発信者のメッセージをユーザが確認するか否か、といった内容である（図４参照）。
【００５１】
なお、ユーザが携帯電話装置に電話番号を登録する際に、電話番号が不特定である公衆電話の番号をどのように登録するかが問題となるが、公衆電話の番号の登録に関しては、例えば全ての公衆電話に対して「００−００００」という番号で統一して登録するように予め設定しておけば、通常の電話番号と同様に以下の処理を行うことができるようになる。また、登録されていない電話番号からの着信に対しても、同様にして適当な番号を与えて一括に管理するようにすれば、通常の電話番号と同じように処理を行うことができる。
【００５２】
設定テーブルを作成する処理が開始すると、ユーザは、登録電話番号ごとに、その登録電話番号から着信があったときにユーザに対して呼出音を鳴らすか否かの設定をする処理を行う（ステップＳ１０３）。着信時に呼出音を鳴らすか否かの設定は、ある登録電話番号からユーザの所有する携帯電話装置１０に着信があったときに、その着信を着信中にリアルタイムにユーザに通知するか否かを予め決めておくためのものである。
【００５３】
図４の設定テーブルに示すように、呼出音を鳴らす設定を選択する場合には、記憶する値を「１」に設定し、呼出音を鳴らさない設定を選択する場合には、記憶する値を「０」に設定するようにする。なお、これらの呼出音を鳴らすか否かの設定に関するデータについては、設定テーブルの一部のデータとして、ＲＡＭ部１５が記憶する。
【００５４】
呼出音を鳴らすか否かの設定をする処理が終了すると、着信が終了した後にユーザに着信があったことを知らせるか否かを設定する処理を行う（ステップＳ１０４）。着信を知らせるか否かの設定は、着信中にユーザに対して呼出音を鳴らさないように設定された登録電話番号からユーザの所有する携帯電話装置１０に着信があったときに、その着信が終了した後に着信があったことを知らせるか否かを予め決めておくためのものである。すなわち、呼出音を鳴らさないような設定がなされている場合には、ユーザは着信終了後に、着信があったことを音声等で知らせるか否かの２つのモードを選択することができるのである。
【００５５】
図４の設定テーブルに示すように、着信があったことを通知する設定を選択する場合には、記憶する値を「１」に設定し、着信があったことを通知しない設定を選択する場合には、記憶する値を「０」に設定するようにする。なお、これらの着信が有ったことを知らせるか否かの設定に関するデータについても、同様に、設定テーブルの一部のデータとして、ＲＡＭ部１５が記憶する。
【００５６】
着信が有ったことを知らせるか否かの設定をする処理が終了すると、ユーザは、留守番電話に録音された発信者のメッセージをユーザが確認するか否かの設定をする処理を行う（ステップＳ１０５）。録音メッセージをユーザが確認するか否かの設定は、携帯電話装置１０に電話をかけてきた発信者が、携帯電話装置の留守番電話機能に対して自分の用件等を録音した場合に、その録音された発信者のメッセージを保存するか否かを予め決めておくためのものである。
【００５７】
図４の設定テーブルに示すように、録音メッセージを確認する設定を選択する場合には、記憶する値を「１」に設定し、録音メッセージを確認しない設定を選択する場合には、記憶する値を「０」に設定するようにする。なお、これらの録音メッセージを確認するか否かの設定に関するデータについても、上述のデータと同様に、設定テーブルの一部のデータとして、ＲＡＭ部１５が記憶する。
【００５８】
〈着信時の動作〉
次に、携帯電話装置１０の着信時における動作について説明する。
【００５９】
図５は、本実施形態に係る携帯電話装置の着信時における動作を示すフローチャートである。
【００６０】
着信がない状態では、携帯電話装置１０は通話の待ち受け状態にある（ステップＳ２０１）。
【００６１】
ここで、ある電話から携帯電話装置１０に対して着信があったとする（ステップＳ２０２）。着信の検出は、無線部１１を介して制御部１６が応答することによって行われる。
【００６２】
制御部１６が着信を検出すると、制御部１６がＲＡＭ部１５に格納されている設定テーブルを参照する（ステップＳ２０３）。設定テーブルには上述したように、登録電話番号と、その電話番号から着信が有ったときにユーザに対して呼出音を鳴らすか否か等の設定がデータとして記憶されている。
【００６３】
制御部１６は、設定テーブルを参照して、発信者の電話番号が携帯電話装置１０に登録された電話番号であるか否かを判定する（ステップＳ２０４）。具体的には、無線部１１を介して受信した発信者の電話番号のデータが、ＲＡＭ部１５に格納されている登録電話番号のデータのいずれかと一致するか否かを調べることとなる。この判定は、制御部１６の指示を受けて、ＲＯＭ部１４に格納されているプログラムが実行されて行われることとなる。
【００６４】
発信者の電話番号が登録電話番号のいずれかと一致した場合には、制御部１６は、その登録電話番号からの着信に対して着信中にユーザに対して呼出音を鳴らすか否かの設定を参照する（ステップＳ２０５）。図４に示す設定テーブルのうち、呼出音設定の項目が「１」に設定されている場合には、制御部１６はユーザに対して着信中であることを知らせる呼出音を鳴らすこととなり、この項目が「０」に設定されている場合には、制御部１６は呼出音を鳴らさないこととなる。
【００６５】
呼出音設定の項目が「０」に設定されている場合には、制御部１６は、留守番電話機能の起動を実行する（ステップＳ２０６）。留守番電話機能の起動は、ＲＯＭ部１４に格納された留守番電話機能の起動を行うためのプログラムが、制御部１６の指示を受けて実行されることにより行われる。
【００６６】
留守番電話の起動を行う処理が終了すると、制御部１６は、発信者に対して応答メッセージの出力を行う（ステップＳ２０７）。出力される応答メッセージは、上述したように、ＲＯＭ部１４から読み出されたものである。応答メッセージとしては、例えば、「ただいま電波の届かないところにいます。発信音の後にお名前とご用件をお話下さい」というような、発信者がメッセージを残すことを促すような内容のものが好ましい。
【００６７】
応答メッセージの出力をする処理が終了すると、制御部１６は、発信者のメッセージの録音をする（ステップＳ２０８）。発信者からのメッセージは、ＲＡＭ部１５に格納されることとなる。
【００６８】
メッセージの録音が終了すると、録音されたメッセージを保存するか否かの処理を行う（ステップＳ２０９）。図４に示す設定テーブルのうち、録音メッセージ保存設定の項目が「１」に設定されている場合には発信者が録音したメッセージの保存を行うこととなり（ステップＳ２１０）、この項目が「０」に設定されている場合には録音メッセージの消去を行うこととなる（ステップＳ２１４）。
【００６９】
録音メッセージの消去を行う処理は、ＲＯＭ部１４に格納された録音メッセージを消去するためのプログラムが、制御部１６の指示を受けて実行されることにより行われる。
【００７０】
メッセージの保存又は消去を行う処理が終了すると、着信があったことの通知をするか否かの設定を行う（ステップＳ２１１）。図４に示す設定テーブルのうち、着信通知設定の項目が「１」に設定されている場合には、制御部１６は発信者から着信があったことを電話装置のユーザに音声等で通知することとなり（ステップＳ２１５）、この項目が「０」に設定されている場合には、制御部１６は発信者から着信があったことはユーザに通知しないこととなる。
【００７１】
着信の通知をする処理は、ＲＯＭ部１４に格納された着信の通知をするためのプログラムが、制御部１６の指示を受けて実行されることにより行われる。着信の通知を行う方法としては、音声等を用いて「電話番号○○○−△△△△から着信がありました」というメッセージを流すようにしてもよいし、あるいは単に「ピピピッ」というような音声を伴わない信号音を流すのでもよい。
【００７２】
このように着信があったことの通知を行うことにより、例えばある発信者が、いつも留守番電話であることを不思議に思って、自分の電話からかけた直後に他の電話装置から試しに電話をかけてきたような場合に、携帯電話装置１０のユーザが、誤って電話に直接応答してしまうような事態を防止できる可能性が生ずることとなる。すなわち、携帯電話装置１０のユーザは、着信があったことの通知を受けた直後にかかってくる電話には、自然と警戒することになるので、その着信にユーザが直接応答する可能性は低くこととなるのである。
【００７３】
着信の通知を行う処理が終了すると、留守番電話機能を解除する処理を行う（ステップＳ２１２）。留守番電話を解除する処理は、ＲＯＭ部１４に格納されたプログラムが、制御部１６の指示を受けて行う。これにより、携帯電話装置１０は、待ち受け状態に移行する（ステップＳ２１３）。
【００７４】
上述のステップＳ２０４で、発信者の電話番号と登録されている電話番号を比較して一致するものがなかったとき、及び、上述のステップＳ２０５で、呼出音を鳴らすように設定されていたときには、制御部１６は、携帯電話装置１０のユーザに対して呼出を行う（ステップＳ２１６）。
【００７５】
この呼出に対してユーザが応答した場合には、発信者との会話が始まることとなる。ユーザと発信者との会話が終了すると、携帯電話装置１０は、待ち受け状態へと移行する（ステップＳ２１３）。
【００７６】
一方、呼出に対してユーザの応答が無い場合には、制御部１６は、強制的に留守番電話機能の起動を実行する（ステップＳ２１９）。留守番電話機能の起動を実行すると、発信者に対して、予め設定されている通常の応答メッセージ、例えば「ただいま電話にでることができません。発信音の後に、お名前とご用件をお話下さい」のような応答メッセージの出力を行う（ステップＳ２１９）。発信者は、応答メッセージの指示に従ってメッセージを録音し（ステップＳ２２０）、メッセージの録音が終了すると、発信者のメッセージをＲＡＭ部１５に保存する（ステップＳ２２１）。メッセージの保存が終了すると、留守番電話機能を解除する（ステップＳ２１２）。留守番電話機能を解除することにより、携帯電話装置１０は、待ち受け状態に移行する（ステップＳ２１３）。
【００７７】
なお、上記実施形態においては、登録電話番号及びその番号に対する設定のデータである設定テーブルを、応答制御装置の１つの例である携帯電話装置１０のＲＡＭ部１５に格納することとしたが、本発明ではこれに限られるものではない。例えば、応答制御装置の他の一例として、携帯電話装置と信号をやりとりする、いわゆる基地局等に設けられたサーバに設定テーブルを格納するものとしてもよい。なお、以下の実施形態では基地局にサーバを設けた態様について説明しているが、本発明ではこれに限らず、基地局を制御するいわゆる基地局制御装置や、基地局制御装置どうしを接続するいわゆる移動交換機等に応答制御装置として以下の機能を持つサーバの役割を与えるようにしてもよいものとする。
【００７８】
《第二の実施形態》
以下、基地局に設けられたサーバに設定テーブルを格納する実施形態について説明する。
【００７９】
［サーバの構成］
図６に、基地局に設置されたサーバ２０の全体構成を示すブロック図を示す。
【００８０】
サーバ２０は、無線部２１と、タイマ部２３と、ＲＯＭ部２４と、ＲＡＭ部２５及び制御部２６とで構成される。
【００８１】
無線部２１は、携帯電話装置１０のユーザの通話に際し、携帯電話装置１０と電波の送受信を行い、タイマ部２３は、時計のカウントを行う。
【００８２】
ＲＯＭ部２４は、留守番電話機能の応答メッセージを構成するメッセージデータ、着信時に発信元の電話番号の判定を行うプログラム、留守番電話機能の起動を行うプログラム、着信が有ったことの通知をするプログラム、録音された発信者からのメッセージの消去を行うプログラム、その他のデータ及びプログラムを格納する。
【００８３】
ＲＡＭ部２５は、留守番電話機能における発信者からのメッセージや、ユーザが操作部１２から予め設定したデータである設定テーブルを格納する。この設定テーブルは、第一の実施形態において携帯電話装置１０で作成されたものと同様の構成となっている。
【００８４】
制御部２６は、サーバ全体の制御を行うためのものである。留守番電話機能において基本となる処理としては、着信時に発信されるＲＯＭ部２４からの着信信号に応答して、設定テーブルを参照し、ユーザに対し呼出音を鳴らして着信中であることを知らせるか否か、着信が終了した後にユーザに着信があったことの通知をするか否か、又は留守番電話機能で録音した発信者からのメッセージの保存をするか消去をするかの判断を行う。
【００８５】
又、制御部２６は、留守番電話機能の起動をすると判断した場合に、無線部２１を介して発信者からの着信に応答し、発信者に対する応答メッセージを、ＲＡＭ部２５に格納されている応答メッセージから読み出して出力する。更に、発信者からのメッセージをユーザが確認するような設定がなされている場合には、ＲＡＭ部２５にこのメッセージの保存をする。
【００８６】
［サーバにおける動作処理］
次に、本実施形態におけるサーバの動作処理について、簡単に説明する。
【００８７】
〈設定テーブルの作成〉
始めに、留守番電話機能の実行の為に、予め設定される設定テーブルの作成について説明する。
【００８８】
設定テーブルは、携帯電話装置１０のユーザが携帯電話装置１０を用いて上述したような手順で作成したものを、無線部１１を介してサーバ２０に送信するようになっている。サーバ２０では、無線部２１を介して設定テーブルを受信し、そのデータをＲＡＭ部２５に記憶しておくようにしている。
【００８９】
〈着信時の動作〉
次に、サーバ２０の着信時における動作について説明する。
【００９０】
本実施形態に係るサーバの着信時における動作は、第一の実施形態に係る携帯電話装置の着信時における動作とほぼ同様の動作を行うことになるので、ここでは、先に示した図５を参照しながら簡単に説明する。
【００９１】
着信がない状態では、サーバ２０は待ち受け状態にある（ステップＳ２０１）。ここで、ある電話から携帯電話装置１０のユーザに電話をかけると、基地局１がその電波を受信する（図示せず）。これにより、サーバ２０が着信に関する処理を開始する。なお、着信の検出は、無線部２１を介して制御部２６が応答することによって行われる。
【００９２】
制御部２６が着信を検出すると、制御部２６がＲＡＭ部２５に格納されている設定テーブルを参照する（ステップＳ２０３）。制御部２６は、設定テーブルを参照して、発信者の電話番号が携帯電話装置１０に登録された電話番号であるか否かの判定を行う（ステップＳ２０４）。この判定は、制御部２６の指示を受けて、ＲＯＭ部２４に格納されているプログラムが実行されることによりなされる。
【００９３】
発信者の電話番号が登録電話番号のいずれかと一致した場合には、制御部２６は、その着信に対して呼出音を鳴らすか否かの設定を参照する（ステップＳ２０５）。図４のグループ分けテーブルのうち、呼出音設定の項目が「１」の場合にはユーザに対して呼出音を鳴らし、この項目が「０」の場合には呼出音を鳴らさないようにする。なお、呼出音を鳴らす処理は、サーバ２０の無線部２１から、携帯電話装置１０の無線部１１に送信されたデータを用いて、携帯電話装置１０のＲＯＭ部１４に格納されたプログラムが行うものとする。
【００９４】
呼出音設定の項目が「０」の場合には、制御部２６は、留守番電話機能の起動を実行する（ステップＳ２０６）。留守番電話機能の起動は、ＲＯＭ部２４に格納された留守番電話機能の起動を行うためのプログラムが実行されることによりなされる。
【００９５】
留守番電話の起動を行う処理が終了すると、発信者に対して応答メッセージの出力を行う（ステップＳ２０７）。出力される応答メッセージは、上述したように、ＲＯＭ部２４から読み出されたものである。
【００９６】
応答メッセージの出力を行う処理が終了すると、制御部２６は、発信者のメッセージの録音を行う（ステップＳ２０８）。発信者からのメッセージは、ＲＡＭ部２５に格納されることとなる。なお、応答メッセージの録音は、上述のようにサーバ２０のＲＡＭ部２５に格納してもよいし、サーバに接続された端末装置のＲＡＭ部に格納させるようにしてもよい。以下では、前者の場合について説明するが、後者の場合でも同様の処理ができるものとする。
【００９７】
メッセージの録音が終了すると、図４に示す設定テーブルを参照して、録音されたメッセージの保存を行うか否かの処理を行う（ステップＳ２０９）。設定テーブルで、録音メッセージ保存設定の項目が「１」に設定されている場合には発信者が録音したメッセージの保存を行い（ステップＳ２１０）、「０」の場合には録音されたメッセージの消去を行う（ステップＳ２１４）。
【００９８】
録音メッセージの消去を行う処理は、ＲＯＭ部２４に格納された録音メッセージの消去を行うためのプログラムが、制御部２６の指示を受けて実行されることによりなされる。
【００９９】
メッセージの保存又は消去をする処理が終了すると、図４に示す設定テーブルを参照して、着信があったことの通知をするか否かの設定を行う（ステップＳ２１１）。設定テーブルで着信通知設定の項目が「１」に設定されている場合にはユーザに着信があったことを音声等で通知することとなり（ステップＳ２１５）、「０」に設定されている場合には着信があったことはユーザに通知しないこととなる。
【０１００】
着信の通知をする処理は、サーバ２０の無線部２１が、携帯電話装置１０の無線部１１に対してデータを送信し、携帯電話装置１０のＲＯＭ部１４に格納された着信の通知をするためのプログラムを、実行させることにより行われる。
【０１０１】
着信の通知をする処理が終了すると、留守番電話機能を解除する処理を行う（ステップＳ２１２）。留守番電話を解除する処理は、ＲＯＭ部２４に格納されたプログラムが、制御部２６の指示を受けて行う。これにより、携帯電話装置１０は、待ち受け状態に移行する（ステップＳ２１３）。
【０１０２】
上述のステップＳ２０４で、発信者の電話番号と登録されている電話番号を比較して一致するものがなかったとき、及び、上述のステップＳ２０５で、ユーザに対して呼出音を鳴らすように設定されていたときには、制御部２６は、携帯電話装置１０のユーザに対して呼出を行う（ステップＳ２１６）。携帯電話１０に呼出を行う処理は、サーバ２０の無線部２１から携帯電話装置１０の無線部１１にデータを送信し、携帯電話装置１０の制御部１６の指示を受けたＲＯＭ部１４に格納されたプログラムが実行されることにより行われる。
【０１０３】
この呼出に対してユーザが応答した場合には、発信者との会話が始まることとなる。ユーザと発信者との会話が終了すると、携帯電話装置１０は、待ち受け状態へと移行し、待ち受け状態であることを無線部１１からサーバ２０の無線部２１に通知する。これにより、サーバ２０も待ち受け状態に移行する（ステップＳ２１３）。
【０１０４】
一方、呼出に対してユーザの応答が無い場合には、制御部２６は、強制的に留守番電話機能の起動を実行する（ステップＳ２１９）。留守番電話機能の起動を実行すると、発信者に対して、予め設定されている通常の応答メッセージの出力を行う（ステップＳ２１９）。発信者は、応答メッセージの指示に従ってメッセージの録音を行い（ステップＳ２２０）、メッセージの録音が終了すると、発信者のメッセージをＲＡＭ部２５に保存する（ステップＳ２２１）。メッセージの保存が終了すると、留守番電話機能を解除する（ステップＳ２１２）。留守番電話機能を解除することにより、サーバ２０は、待ち受け状態に移行する（ステップＳ２１３）。
【０１０５】
なお、上記２つの実施形態は、本発明を携帯電話装置において実施したものであるが、本発明ではこれに限らず、応答制御装置の別の例として、携帯が不可能な留守番電話装置で実施することとしてもよい。ただし、本実施形態で用いる留守番電話装置は、いわゆる発信番号通知に対応できるように構成されているものとする。
【０１０６】
《第三の実施形態》
以下、家庭用の留守番電話装置を用いた本発明の実施形態について説明する。
【０１０７】
［留守番電話装置と他の電話装置との関係］
図７は本実施形態に係る留守番電話装置３０と他の電話装置との関係を表すブロック図である。
【０１０８】
この図７に示すブロック図において、留守番電話装置３０は、交換機４１及び交換機４２を通じて他の留守番電話装置４０と通話することができるようになっている。携帯電話装置４３と通話するときには、基地局１及び携帯電話回線網４４を介して交換機４１及び交換機４２と接続することにより、留守番電話装置３０との通話が可能となっている。
【０１０９】
なお、交換機４１、４２は、発信者の電話番号を判断し、その電話番号のデータを留守番電話装置３０に送信する機能を有するものである。
【０１１０】
［留守番電話装置の構成］
図８に、留守番電話装置３０の全体構成を示すブロック図を示す。
【０１１１】
留守番電話装置３０は、操作部３２と、タイマ部３３と、ＲＯＭ部３４と、ＲＡＭ部３５と、制御部３６及び表示部３７とで構成される。
【０１１２】
操作部３２は、通常の通話におけるダイヤルの入力操作、友人や知り合い等の電話番号を登録するため入力操作、登録した電話番号に対し着信通知の要否やメッセージ確認の要否等の設定をするための操作等を行うものである。
【０１１３】
タイマ部３３は、時計のカウントを行うものである。
【０１１４】
ＲＯＭ部３４は、留守番電話機能の応答メッセージを構成するメッセージデータ、着信時に発信元の電話番号の判定を行うためのプログラム、留守番電話機能の起動を行うためのプログラム、着信が有ったことの通知をするためのプログラム、発信者が録音したメッセージの消去を行うためのプログラム、その他のデータ及び留守番電話装置の各種の機能を実行する為のプログラムを格納する。
【０１１５】
ＲＡＭ部３５は、発信者からのメッセージや、ユーザが操作部３２から予め設定したデータである設定テーブルを格納する。この設定テーブルは、上述した実施形態で説明したものと同様の構成となっている。
【０１１６】
制御部３６は、留守番電話装置３０の全体の制御を行うためのものである。制御部３６は、留守番電話機能の起動を行う場合に、発信者からの着信に応答して、設定テーブルを参照し、ユーザに対し呼出音を鳴らして着信中であることを知らせるか否か、着信が終了した後にユーザに着信があったことの通知をするか否か、又は留守番電話機能で録音した発信者からのメッセージの保存を行うか消去を行うかの判断をする。
【０１１７】
又、制御部３６は、留守番電話機能の起動をすると判断した場合に、発信者に対する応答メッセージを、ＲＡＭ部３５に格納されている応答メッセージを読み出して出力する。更に、発信者からのメッセージをユーザが確認するような設定がなされている場合には、ＲＡＭ部３５にこのメッセージの保存を行う。
【０１１８】
［留守番電話装置における動作処理］
次に、本実施形態における留守番電話装置における動作処理について、簡単に説明する。
【０１１９】
〈設定テーブルの作成〉
留守番電話装置３０における設定テーブルの作成手順は、第一の実施形態で説明した携帯電話装置１０における設定テーブルの作成の手順と同様であり、ユーザ自身が各登録番号に対して各種の設定を行い、設定テーブルを作成していくこととなる。
【０１２０】
〈着信時の動作〉
留守番電話装置３０の着信時における動作も、第一の実施形態で説明した携帯電話装置１０の着信時における動作と同様であり、ユーザが予め設定した設定テーブルの内容に基づいて、発信元の電話番号に応じて留守番電話装置３０のユーザに対して呼出音を鳴らすか否かの選択を行うこととなる。
【０１２１】
【発明の効果】
本発明によれば、予めかかってくると予想される相手の電話番号を登録し、その電話番号からの発信に応じて、ユーザに対し呼出音を鳴らすか、それとも留守番電話で対応するかという設定を行うことができるため、取りたくない相手の電話を取らずにすむようになる。
【０１２２】
また、着信に対する応答を拒否されている者に対しては、呼出音が送出されるように構成されているため、被拒否者に応答を拒否していることが知られずにすむこととなる。これにより、被拒否者は不快感を感じることもなく、電話装置のユーザが被拒否者に悪く思われることも防ぐことができる。
【図面の簡単な説明】
【図１】  本発明の第一の実施携帯に係る携帯電話装置と基地局等の関係を示す説明図である。
【図２】  本発明の第一の実施形態に係る携帯電話装置の全体構成を示すブロック図である。
【図３】  本発明の第一の実施形態に係る携帯電話装置の設定テーブルを作成する流れを説明するためのフローチャートである。
【図４】  本発明で用いられる設定テーブルの一例を示す説明図である。
【図５】  本発明の第一の実施形態に係る携帯電話装置の、着信時における動作を示すフローチャートである。
【図６】  本発明の第二の実施形態に係るサーバの全体構成を示すブロック図である。
【図７】  本発明の第三の実施形態に係る留守番電話装置と通信回線網等の関係を示す説明図である。
【図８】  本発明の第三の実施形態に係る留守番電話装置の全体構成を示すブロック図である。
【符号の説明】
１  基地局
４  通信回線網
５  携帯電話回線網
１０  携帯電話装置
１１、２１  無線部
１２、３２  操作部
１３、２３、３３  タイマ部
１４、２４、３４  ＲＯＭ部
１５、２５、３５  ＲＡＭ部
１６、２６、３６  制御部
１７、３７  表示部
２０  サーバ
３０  留守番電話装置
４１、４２  交換機
４４  携帯電話回線網
【図１】
0004421796.tif 000002
【図２】
0004421796.tif 000003
【図３】
0004421796.tif 000004
【図４】
0004421796.tif 000005
【図５】
0004421796.tif 000006
【図６】
0004421796.tif 000007
【図７】
0004421796.tif 000008
【図８】
0004421796.tif 000009